(57)【特許請求の範囲】
【請求項１】
底面側が開口されて天井内に吊り下げ固定されたケース本体の内部中央に設けられた送風機と、同送風機の下部吸込側に設けられたベルマウスと、周囲に配設されて下部にドレンパンを備えた熱交換器と、前記ドレンパンと前記ケース本体の下端との間に形成され、前記熱交換器により熱交換された空気を送出する送出部を備えて前記ケース本体底面側の開口部に取り付けられたパネル枠体と、前記ベルマウスに連通する吸込口を構成する吸込グリルを備え、その周囲に前記送出部に連通する吹出口を備え、略Ｌ字状に形成されたフック部からなる複数の吊下フックの一端を取り付ける取付部を備えた化粧パネルと、前記吊下フックの他端に設けられた係止孔と、前記パネル枠体に設けられ、前記吊下フックの他端を挿脱可能に挿入するフック挿入部および前記係止孔に係脱可能に係止する係止部と、からなることを特徴とする天井埋込型空気調和機。
【請求項２】
前記化粧パネルの取付部が、同化粧パネルを補強する補強部材からなることを特徴とする請求項１に記載の天井埋込型空気調和機。
【請求項３】
前記フック挿入部が、板状の前記吊下フックに対応する略矩形状の挿入孔からなり、同挿入孔の一側に、突状の係止片からなる前記係止部が設けられてなることを特徴とする請求項１に記載の天井埋込型空気調和機。
【請求項４】
前記挿入孔の他側に、前記係止片に係止された前記吊下フックの両側を規制する突状の規制片が設けられてなることを特徴とする請求項３に記載の天井埋込型空気調和機。
【請求項５】
前記係止片が、前記規制片に対し少許上位に設けられてなることを特徴とする請求項３または請求項４に記載の天井埋込型空気調和機。
【請求項６】
前記係止片と前記規制片との先端部が、側面からみて上下にオーバラップするように形成されてなることを特徴とする請求項５に記載の天井埋込型空気調和機。
【請求項７】
前記係止片および前記規制片が、前記パネル枠体と一体的に形成されてなることを特徴とする請求項１または請求項３乃至請求項６の何れかに記載の天井埋込型空気調和機。
【発明の詳細な説明】
【０００１】
【発明の属する技術分野】
本発明は、天井埋込型空気調和機に係わり、より詳細には、化粧パネルを昇降可能に吊り下げ支持する吊下フックを、締結部材を用いることなく容易に、且つ正確に取付できるようにした構造に関する。
【０００２】
【従来の技術】
従来の天井埋込型空気調和機は、例えば図１と、図６とで示すように、底面側が開口されて天井内に吊り下げ固定されたケース本体１の内部中央に設けられた送風機５と、同送風機５の下部吸込側に設けられたベルマウス７と、周囲に配設されて下部にドレンパンａを備えた熱交換器６と、前記ドレンパンａと前記ケース本体１の下端との間に形成され、前記熱交換器６により熱交換された空気を送出する送出部を備えて前記ケース本体１底面側の開口部に取り付けられたパネル枠体1aと、前記ベルマウス７に連通する吸込口２を構成する吸込グリル４を備え、その周囲に前記送出部に連通する吹出口３を備えた化粧パネル４と、同化粧パネル４の取付部に一端のフック部8aを取り付けてこれを上下動可能に吊り下げる複数の吊下げフック８と、前記パネル枠体1a周縁の切欠部9'に螺着されて前記吊下げフック８の他端に設けられたガイド孔8b' を上下にガイドする締結部材D'と、前記パネル枠体1aに設けられて前記吊下げフック８の他端を係脱可能に係止するフック係止部10' と、からなる構成であった。
【０００３】
しかしながら、特殊なねじからなる前記締結部材D'用いてこれを前記パネル枠体1aに螺着する構成であることから、部品点数が増えてしまう上、作業性が悪いという問題を有していた。
【０００４】
【発明が解決しようとする課題】
本発明においては、上記の問題点に鑑み、化粧パネルを昇降可能に吊り下げ支持する吊下フックを、締結部材を用いることなく容易に、且つ正確に取付できるようにした天井埋込型空気調和機を提供することを目的とする。
【０００５】
【課題を解決するための手段】
本発明は、上記課題を解決するため、底面側が開口されて天井内に吊り下げ固定されたケース本体の内部中央に設けられた送風機と、同送風機の下部吸込側に設けられたベルマウスと、周囲に配設されて下部にドレンパンを備えた熱交換器と、前記ドレンパンと前記ケース本体の下端との間に形成され、前記熱交換器により熱交換された空気を送出する送出部を備えて前記ケース本体底面側の開口部に取り付けられたパネル枠体と、前記ベルマウスに連通する吸込口を構成する吸込グリルを備え、その周囲に前記送出部に連通する吹出口を備え、略Ｌ字状に形成されたフック部からなる複数の吊下フックの一端を取り付ける取付部を備えた化粧パネルと、前記吊下フックの他端に設けられた係止孔と、前記パネル枠体に設けられ、前記吊下フックの他端を挿脱可能に挿入するフック挿入部および前記係止孔に係脱可能に係止する係止部と、からなる構成となっている。
【０００６】
また、前記化粧パネルの取付部が、同化粧パネルを補強する補強部材からなる構成となっている。
【０００７】
また、前記フック挿入部が、板状の前記吊下フックに対応する略矩形状の挿入孔からなり、同挿入孔の一側に、突状の係止片からなる前記係止部が設けられた構成となっている。
【０００８】
また、前記挿入孔の他側に、前記係止片に係止された前記吊下フックの両側を規制する突状の規制片が設けられた構成となっている。
【０００９】
また、前記係止片が、前記規制片に対し少許上位に設けられた構成となっている。
【００１０】
また、前記係止片と前記規制片との先端部が、側面からみて上下にオーバラップするように形成された構成となっている。
【００１１】
更に、前記係止片および前記規制片が、前記パネル枠体と一体的に形成された構成となっている。
【００１２】
【発明の実施の形態】
以下、本発明の実施の形態を、添付図面に基づいた実施例として説明する。
図１は本発明による天井埋込型空気調和機の断面図であり、図２は本発明による天井埋込型空気調和機の要部説明図で、（Ａ）は斜視図、（Ｂ）は断面図であり、図３は本発明による天井埋込型空気調和機の分解断面図であり、図４は本発明による天井埋込型空気調和機の要部断面図で、（Ａ）は化粧パネルをパネル枠体から下降させた状態を、（Ｂ）はパネル枠体に取り付けた状態を示し、図５は本発明による天井埋込型空気調和機の要部分解斜視図である。
【００１３】
図で示すように、１は天井埋込型空気調和機のケース本体、５は同ケース本体１の内部中央に設けられた送風機、７は同送風機５の下部吸込側に設けられたベルマウス、６は周囲に配設されて下部にドレンパンａを備えた熱交換器、1aは前記ドレンパンａと前記ケース本体１の下端との間に形成され、前記熱交換器６により熱交換された空気を送出する送出部を備えて前記ケース本体１の底面側の開口部に取り付けられたパネル枠体、４は前記ベルマウス７に連通する吸込口２を構成する吸込グリルを備え、その周囲に前記送出部に連通する吹出口３を備えた化粧パネルで、同化粧パネル４に設けられた係止爪Ｂが前記パネル枠体1aに設けられた係止部Ａに係脱可能に係止されるようにした構成となっている。
【００１４】
次に、上記構成でなる天井埋込型空気調和機において、以下に、前記化粧パネル４を昇降可能に吊り下げ支持する吊下フック８を、上記に説明した従来技術のような締結部材を用いることなく容易に、且つ正確に取付できるようにした構造について説明をする。
前記化粧パネル４に設けられ、略Ｌ字状に形成されたフック部8aからなる複数の吊下フック８の一端を取り付ける取付部Ｃに、前記複数の吊下フック８の一端をねじＤにより取り付けてこれを上下動可能に吊り下げるとともに、前記パネル枠体1aに、前記吊下フック８の他端を挿脱可能に挿入する挿入部９と、他端に設けられた係止孔8bに係脱可能に係止する係止部10とを設けた構成となっており、これによって、前記化粧パネル４の取付部Ｃに前記複数の吊下フック８の一端に設けられたフック部8aを取り付ける一方、同吊下フック８の他端を前記挿入部９から挿入し、同他端に設けられた係止孔8bに前記係止部10を係止して、前記化粧パネル４を昇降可能に吊り下げ支持できるようにした構造となる。
【００１５】
また、前記化粧パネル４の取付部Ｃが、同化粧パネル４を補強するための板金製の補強部材からなる構成となっており、これによって、前記化粧パネル４の強度を補強できるとともに、同化粧パネル４を強固に吊り下げ支持できるようにした構造となる。
【００１６】
また、前記挿入部９が、板状の前記吊下フック８に対応する略矩形状の挿入孔９からなり、同挿入孔９の一側に、突状の係止片10からなる前記係止部10が設けられた構成となっており、
これによって、前記係止部10に係止される前記係止孔8bを備えた前記吊下フック８の他端が、前記挿入孔９の他側により規制されて容易に離脱してしまうことがないようにした構造となる。
【００１７】
また、前記挿入孔９の他側に、前記係止片10に係止された前記吊下フック８の両側を規制する突状の規制片11が設けられた構成となっており、
これによって、前記吊下フック８がずれてしまわないよう、その両側を効果的に規制できるようにした構造となる。
【００１８】
また、前記係止片10が、前記規制片11に対し少許上位に設けられた構成となっており、これによって、前記取付部Ｃから前記吊下フック８の一端を取り外した際、図３で示すように、同吊下フック８を傾斜させて前記係止片10に挿脱できるようにした構造となる。
【００１９】
また、前記係止片10と前記規制片11との先端部が、図２（Ｂ）および図３で示すオーバラップ部ｂのように、側面からみて上下にオーバラップするように形成されたことにより、上記に説明したとおり、前記吊下フック８を所定の角度に傾斜させることによってのみ、前記係止片10に挿脱できるようにした構成となっている。
【００２０】
更に、前記係止片10および前記規制片11が、前記パネル枠体1aと一体的に形成されたことにより、寸法形状を正確に仕上げることができるとともに、コスト的に有利な構成となっている。
【００２１】
以上の構成により、図１と、図２（Ａ）および図２（Ｂ）と、図３と、図４（Ａ）および図４（Ｂ）と、図５とで示すように、前記化粧パネル４の取付部Ｃに、前記複数の吊下フック８の一端を取り付けてこれを上下動可能に吊り下げるとともに、前記パネル枠体1aに、前記吊下フック８の他端を挿脱可能に挿入する挿入部９と、他端に設けられた係止孔8bに係脱可能に係止する係止部10とを設けたので、前記化粧パネル４の取付部Ｃに前記複数の吊下フック８の一端を取り付ける一方、同吊下フック８の他端を前記挿入部９から挿入し、同他端に設けられた係止孔8bに前記係止部10を係止して、前記化粧パネル４を昇降可能に吊り下げ支持できるようにした天井埋込型空気調和機となる。
【００２２】
【発明の効果】
以上のように本発明によると、化粧パネルを昇降可能に吊り下げ支持する吊下フックを、締結部材を用いることなく容易に、且つ正確に取付できるようにした天井埋込型空気調和機となる。
【図面の簡単な説明】
【図１】従来例および本発明による天井埋込型空気調和機の断面図である。
【図２】本発明による天井埋込型空気調和機の要部説明図で、（Ａ）は斜視図、（Ｂ）は断面図である。
【図３】本発明による天井埋込型空気調和機の分解断面図である。
【図４】本発明による天井埋込型空気調和機の要部断面図で、（Ａ）は化粧パネルをパネル枠体から下降させた状態を示し、（Ｂ）はパネル枠体に取り付けた状態を示す。
【図５】本発明による天井埋込型空気調和機の要部分解斜視図である。
【図６】従来例による天井埋込型空気調和機の要部分解斜視図である。
【符号の説明】
１  ケース本体
1a  パネル枠体
２  吸込口
３  吹出口
４  化粧パネル
５  送風機
６  熱交換器
７  ベルマウス
８  吊下フック
8a  フック部
8b  係止孔
8c  位置決め片
９  挿入部，挿入孔
10  係止部，係止片
11  規制片
ａ  ドレンパン
ｂ  オーバラップ部
Ａ  係止部
Ｂ  係止爪
Ｃ  取付部
Ｄ  ねじ
【図１】
0004378816.tif 000002
【図２】
0004378816.tif 000003
【図３】
0004378816.tif 000004
【図４】
0004378816.tif 000005
【図５】
0004378816.tif 000006
【図６】
0004378816.tif 000007